(57)【要約】      （修正有）【課題】ペットのリードを掛ける吸盤式ペット用具を提供する。【解決手段】吸盤式ペット用具はボルト１１の一端にペット用具を設置し、反対端は吸着ユニット２０に固定し、物体表面に吸着し、ペット用具は食事用容器１０、引っ掛ける用途の環状体、水飲み器を挟持するクリップ、或いは他のペット用品で、吸着ユニット２０はプルバー２２を設置する吸盤２１、吸盤２１とそのプルバー２２を収容設置するベース３０を備え、ベース３０上には連結棒を成型し、連結棒はベース３０の螺合接続部分３２において、吸盤２１プルバー２２を収容設置可能な収容設置孔３３を軸方向に設置し、めくり動かし部品４０は、二又に分かれて対称した２個の圧迫固定部４１を接続し、プルバー２２を貫通した挿入ピン３５により、２個の圧迫固定部４１を連結棒外に組立て、吸盤２１を連動し、物件の表面に吸着させる。【選択図】図１
0003151049.tif 000002
【実用新案登録請求の範囲】
【請求項１】
吸盤式ペット用具は、ボルトの一端にペット用具を設置し、反対端は連結棒に螺合して固定し、
前記連結棒は、前記ボルトと螺合して固定する端とは反対の端を、ベース背面の中央に成型し、前記連結棒はさらに、ベースの螺合接続部分と、吸盤のプルバーを収容設置可能な収容設置孔を軸方向に設置し、
前記収容設置孔は、壁面を貫通する２個の長孔と通して外界と通じ、また前記収容設置孔には、吸盤背面に固定するプルバーを挿入することができ、長孔を貫通する挿入ピンを利用し、プルバーを制御し、前記連結棒内において移動可能とし、
また、めくり動かし部品において、二又に分かれ、相互に対称した２個の圧迫固定部により、挿入ピンの先端において、それぞれ可動接続し、偏芯回転動を行い、吸盤を連動し、物件の表面において吸着させることを特徴とする吸盤式ペット用具。
【請求項２】
前記ペット用具は、ペットの食事用容器で、
前記容器は外壁には斜めに延伸するボルト備え、これにより容器は前記連結棒に固定され、一定角度の傾斜を呈することを特徴とする請求項１に記載の吸盤式ペット用具。
【請求項３】
前記ペット用具は、引っ掛ける用途の環状体で、
前記環状体は、立体的な骨の形状を呈する底台上に成型し、前記底台下には、ボルトを延伸することを特徴とする請求項１に記載の吸盤式ペット用具。
【請求項４】
前記ペット用具は、水飲み器を挟持するＣ型クリップで、
前記Ｃ型クリップ先端は、両側に開くクリップアームの形態を備え、前記Ｃ型クリップ背面の補強構造にはボルトを成型し、しかも前記クリップアーム内側部位にはそれぞれ係合ブロックを設置し、前記係合ブロックは、前記クリップアームが前記水飲み器を挟持している時、前記水飲み器外壁に設置する環状槽の陥没部内に係合されることを特徴とする請求項１に記載の吸盤式ペット用具。
【請求項５】
前記水飲み器外壁には、少なくとも１個の環状槽を陥没状に設置し、前記環状槽内には、前記係合ブロックを係合する陥没部を設置することを特徴とする請求項４に記載の吸盤式ペット用具。
【請求項６】
吸盤式ペット用具は、ペット用具、吸着ユニット、めくり動かし部品を備え、
前記ペット用具は、ボルトの端部に一体成型する碗状容器で、前記ボルトは、前記容器外辺に斜めに設置し、
前記吸着ユニットは、吸盤、盤状ベースを備え、
前記吸盤上には、プルバーを設置し、
前記盤状ベース中央には、連結棒を一体成型し、前記連結棒一端には、前記ボルトと結合する螺合接続部分を設置し、反対端には、収容設置孔を備え、前記連結棒の前記収容設置孔に位置する壁面には、一対の長孔を貫通し、
前記めくり動かし部品は、相互に対称し、しかも偏芯カム機能を備える２個の圧迫固定部を接続し、前記圧迫固定部の軸孔と前記連結棒の長孔を貫通する挿入ピンにより、前記圧迫固定部と、前記収容設置孔内のプルバーを結合し、偏芯回転動する圧迫固定部を利用し、前記ベースを押さえ、前記吸盤を連動し、物件の表面に吸着させることを特徴とする吸盤式ペット用具。
【請求項７】
吸盤式ペット用具は、ペット用具、吸着ユニット、めくり動かし部品を備え、
前記ペット用具は、立体的な骨の形状を呈する底台上にボルトを一体成型し、前記底台はさらに、少なくとも１個の環状体を成型し、
前記吸着ユニットは、吸盤、盤状ベースを備え、
前記吸盤上には、プルバーを設置し、
前記盤状ベース中央には、連結棒を一体成型し、前記連結棒一端には、前記ボルトと結合する螺合接続部分を設置し、反対端には、収容設置孔を備え、前記連結棒の前記収容設置孔に位置する壁面には、一対の長孔を貫通し、
前記めくり動かし部品は、相互に対称し、しかも偏芯カム機能を備える２個の圧迫固定部を接続し、前記圧迫固定部の軸孔と前記連結棒の長孔を貫通する挿入ピンにより、前記圧迫固定部と、前記収容設置孔内のプルバーを結合し、偏芯回転動する圧迫固定部を利用し、前記ベースを押さえ、前記吸盤を連動し、物件の表面に吸着させることを特徴とする吸盤式ペット用具。
【請求項８】
吸盤式ペット用具は、ペット用具、吸着ユニット、めくり動かし部品を備え、
前記ペット用具は、水飲み器で、前記水飲み器外壁には環状槽を備え、前記環状槽上には、複数の陥没部を設置し、前記環状槽は、Ｃ型クリップにより挟持し、
前記Ｃ型クリップは、コの字型補強構造を備え、前記コの字型補強構造は、ボルトを一体成型し、前記Ｃ型クリップが水飲み器を挟持するクリップアーム内側部位には、前記陥没部に係合する係合ブロックをそれぞれ設置し、前記クリップアーム内の１本の外辺には、めくり開け部品を設置し、
前記吸着ユニットは、吸盤、盤状ベースを備え、
前記吸盤上には、プルバーを設置し、
前記盤状ベース中央には、連結棒を一体成型し、前記連結棒一端には、前記ボルトと結合する螺合接続部分を設置し、反対端には、収容設置孔を備え、前記連結棒の前記収容設置孔に位置する壁面には、一対の長孔を貫通し、
前記めくり動かし部品は、相互に対称し、しかも偏芯カム機能を備える２個の圧迫固定部を接続し、前記圧迫固定部の軸孔と前記連結棒の長孔を貫通する挿入ピンにより、前記圧迫固定部と、前記収容設置孔内のプルバーを結合し、偏芯回転動する圧迫固定部を利用し、前記ベースを押さえ、前記吸盤を連動し、物件の表面に吸着させることを特徴とする吸盤式ペット用具。
【考案の詳細な説明】
【技術分野】
【０００１】
本考案はペット用具に関し、特にペット用具と吸着ユニットを一体に結合し使用する構造である吸盤式ペット用具に関する。
【背景技術】
【０００２】
社会的競争の激化に従い、日常生活はますますスピーディーに、ストレスフルになっている。一方、若年層の晩婚化が進み、家族が働きに出ていることで、老人が日中一人で過ごす例も増えている。そのため、精神的な支えとして、多くの家庭でペットが飼われるようになっている。さらに、情報が発達し、あちらこちらでペットショップが開店している現在、自分の気に入ったペットを見つけるのは、難しくない。また、動物を主人公とする映画のヒットもあり、ペットを飼う人は急速に増えている。それに伴い、各種のペット用品も、次々に新商品が開発され、ペットの飼育はどんどん便利で実用的になっている。
【０００３】
しかし、公共の場所ではペットの連れ込みに制限があり、或いはペットオーナーがペットを連れて外出する時には、周囲の環境、ペットの習慣、その場の決まりなどを考慮しなければならない。上記の目的に合い、さらに携帯にも便利なペット用品があれば、非常に有りがたいであろう。しかし、食事用碗、水用碗などの一般のペット用品は、ケージ内に直接固定されていることが多い。普通、ケージの大部分は金属の柵を組み合わせて構成し、各種ペット用品は、それに相対させた構造設計である。それらペット用品は、ほとんどが引っ掛ける方式に設計されており、これによりペット用品は金属の柵に引っ掛け使用される。しかし、該ペット用品がケージ内にない場合には、そのフック構造を使用することはできないため、外出時に携帯したとしても使用には不便で、或いは引っ掛けるところがないため、別の適した固定装置設計が必要である。同時に、現場の環境或いは物件に損害を与えないものでなければならない。本考案は、従来のペット用具の上記した欠点に鑑みてなされたものである。
【考案の概要】
【考案が解決しようとする課題】
【０００４】
本考案が解決しようとする課題は、小型ペット用で、ボルトを備えるペット用具と、物品の平坦な表面に吸着する吸着ユニットを一体に組合せ、ペットオーナーは、室内或いは戸外でペット用品を用い、随時餌をやり、またペットを繋ぐことができ、吸着ユニットに固定するペット用具は、任意の他のペット用具に交換し使用することができ、携帯に便利で、組立てが容易で、操作を迅速に行うことができペットの持込が禁止されている飲食店、カフェなどにペットオーナーが入る時、フランス窓に近い席を選択し、相対する位置の外側に、吸着させることができ、この吸盤式ペット用具（吸着式フックなど）にペットのリードを掛けることで、ペットオーナーは安心して、室内で飲食しながら、ペットの様子を見ていることができる吸盤式ペット用具を提供することである。
【課題を解決するための手段】
【０００５】
上記課題を解決するため、本考案は下記の吸盤式ペット用具を提供する。
吸盤式ペット用具は、ボルトの一端にペット用具を設置し、反対端は吸着ユニットに固定し、該ペット用具は、食事用容器、立体的な骨の形状を呈する、引っ掛ける用途の環状体、水飲み器を挟持するクリップ、或いは他のペット用品で、螺合接続方式を通して、該ペット用具と吸着ユニットを一体に組立て、
該吸着ユニットは、プルバーを設置する吸盤、吸盤とそのプルバーを収容設置するベース、対称した２個の圧迫固定部を備えるめくり動かし部品を備え、
該ベース上には連結棒を成型し、該連結棒は該ベースの螺合接続部分において、該吸盤プルバーを収容設置可能な収容設置孔を軸方向に設置し、該連結棒の収容設置孔の壁面には２個の長孔を貫通させ、
該圧迫固定部は、相互に対応する軸孔を設置し、挿入ピンを利用し、該圧迫固定部の軸孔を通過させ、該連結棒上の長孔を通過し、該収容設置孔に挿入後に、該プルバー上の貫通孔に直接入り、
該挿入ピンを利用し、該めくり動かし部品、該連結棒、及び該吸盤上のプルバーを通して設置後、該各構成部品は相互に作動し、該めくり動かし部品の、偏芯回転を行う圧迫固定部はベースを押し、こうして該挿入ピンにより該吸盤のプルバーを貫通し、吸盤が物件の表面に吸着する力を向上させることができる。
【考案の効果】
【０００６】
本考案ペット用具は、交換して吸着ユニットに固定することができ、しかも使用範囲はこれまでの物品に限定されないため、従来の技術の数倍にも達する。また、ペットオーナーがペットと共に戸外で運動する時に、本考案吸盤式ペット用具を携帯することで、予定地において、必要に応じて食事用容器或いは水飲み器を組立て、使用することができる。また交換しなくても良く、この場合には、吸着ユニット１個にペット用具１個を対応させ、吸着ユニットが吸着可能な物品（強化ガラス、滑らかな板面など）の平坦な表面であれば定位可能で、ペットに餌をやることができ、携帯に便利で、組立てが容易で、操作を迅速に行うことができる。
【図面の簡単な説明】
【０００７】
【図１】本考案吸盤式ペット用具において、吸盤式ペット用具が碗状容器である断面図である。
【図２】図１の分解立体図である。
【図３】図１の組立て立体図である。
【図４】図１の吸盤式ペット用具を水飲み器、Ｃ型クリップに置換する分解立体図である。
【図５】図４の組立て立体図である。
【図６】図１の吸盤式ペット用具をフック用途の環状体に置換する分解立体図である。
【図７】図６の組立て立体図である。
【考案を実施するための形態】
【０００８】
以下に図面を参照しながら本考案を実施するための最良の形態について詳細に説明する。
【実施例】
【０００９】
図１、２、３に示すように、吸盤式ペット用具は吸着ユニット２０上に螺合して接続する。図中のペット用具は、食事に用いる碗状容器１０である。容器１０は、外面にボルト１１を一体に成型する。ボルト１１と容器１０開口部の水平面とは、傾斜を呈し、容器１０外へと延伸する。ボルト１１を備える水飲み容器が、吸着ユニット２０に螺合されると、その吸着物体表面が定位される時、吸着ユニット２０に螺合された容器１０の開口部は、一定角度の傾斜を呈し、ペットの食事に便利である。
【００１０】
ボルト１１の容器１０とは反対端に固定される吸着ユニット２０は、吸盤２１、ベース３０、めくり動かし部品４０を備える。吸盤２１は、吸着する面とは異なる面にプルバー２２を設置する。プルバー２２一端の面積は、比較的大きく、軟質吸盤２１が成型される時、一緒に包まれ固定される。プルバー２２の面積が大きい方の一端は、若干の穿孔を備える円盤２３で、穿孔により、円盤２３と吸盤２１は、最適な結合度を達成することができる。ベース３０の形態は、吸盤２１と相似しており、吸盤２１のプルバー２２を備える面を覆うことができる。ベース３０背面の中央部位には、連結棒３１を成型し、連結棒３１の自由端は、ボルト１１と結合する螺合接続部分３２である。螺合接続部分３２とは反対側の連結棒３１の一端は、ベース３０と連続し、連結棒３１はベース３０との接続部分において、吸盤２１のプルバー２２を収容設置可能な収容設置孔３３を軸方向に設置する。さらに、収容設置孔３３の壁面には２個の長孔３４が貫通する。吸盤２１に固定するプルバー２２は、収容設置孔３３内に設置され、挿入ピン３５がめくり動かし部品４０上の圧迫固定部４１一端の軸孔４４１を貫通し、さらに、対称的な長孔３４を経て、収容設置孔３３内のプルバー２２へと通る。次に、プルバー２２の貫通孔２２１を貫通し、圧迫固定部４１の反対端の軸孔４４１上に固定する。収容設置孔３３は主に、プルバー２２をその内部の上下運動の空間に収容設置する。
【００１１】
めくり動かし部品４０は、挿入ピン３５、及び偏芯カム機能を備える圧迫固定部４１とベース３０の相互圧迫定位作用により、プルバー２２を引き動かす。これにより、その一端の吸盤２１は、ベース３０方向へと移動し、こうしてプルバー２２上の吸盤２１は、より強力な吸着力を発揮することができる。めくり動かし部品４０の押す場所は、骨の形状に成型し、辺縁には二又に分かれ、しかも相互に対称し、偏芯カム機能を備える圧迫固定部４１を接続する。圧迫固定部４１上には、それぞれ軸孔４４１を備え、挿入ピン３５を通す。圧迫固定部４１の挿入ピン３５が通過する部位は軸芯で、軸芯から圧迫固定部４１辺縁へと向かう偏芯カム特性を備える。これにより、めくり動かし部品４０が圧迫されると、圧迫固定部４１を偏芯回転させ、距離が長い方の辺縁部位は、ベース３０背面を押さえ、これによりプルバー２２は後方へと移動する。この時、２個の長孔３４は、連結棒３１における、めくり動かし部品４０の運動方向を制限し、同時に、プルバー２２を導引し、伸縮往復運動を行なわせる。
【００１２】
本考案は、ペット用具を携帯に便利とし、外出時に使用可能で、しかも任意に交換して使用可能とすることを目的とする。例えば、図４、５に示すように、容器１０を水飲み器７０に換え、吸着ユニット２０に螺合して接続するＣ型クリップ６０を利用し挟持する。図に示すように、円筒形の水飲み器７０の外壁には、環状槽７２を陥没状に設置し、Ｃ型クリップ６０はここを挟持する。環状槽７２上には、若干の陥没部７１を設置する。陥没部７１には、Ｃ型クリップ６０が環状槽７２に嵌められた後に、係合ブロック６３を嵌合することができる。係合ブロック６３は、Ｃ型クリップ６０の両先端に位置するクリップアーム６２の内面に位置する。これにより、水飲み器７０は、適当な角度に固定され、ペットがぶつかっても、水飲み器７０の使用の方向は変わることはない。Ｃ型クリップ６０は、先端のクリップアーム６２の外側に、めくり開け部品６４を設置する。めくり開け部品６４をめくり開けると、Ｃ型クリップ６０を開くことができ、こうして水飲み器７０を取り出し、或いは水飲み器７０の方向を調整することができる。水飲み器７０の下端には、出水管７３を備える。出水管７３の出口端内には、可動式ボール７４を備え、ペットはボール７４をなめることで、筒内の液体を飲用することができる。
【００１３】
Ｃ型クリップ６０の強度を高めるため、中央部の外側に、コの字型の補強構造６５、及びボルト１１を射出成型する。ボルト１１は、吸着ユニット２０と螺合し一体に接続されるため、Ｃ型クリップ６０が挟持する水飲み器７０も、室内或いは戸外の滑らかな平面を持つ物体表面に吸着され、ペットは随時液体を飲用することができる。
【００１４】
図６、７に示す構造では、引っ掛ける用途の環状体５１により、ペット用具のＣ型クリップ６０或いは容器１０に置換する。環状体５１は、立体的な骨の形状を呈する底台５０上に成型する。底台５０下には、ボルト１１を射出成型する。骨の形状を呈する底台５０を、吸着ユニット２０に固定し、吸盤２１を利用し、室内或いは戸外の滑らかな平面を持つ物体表面に安定的に吸着することができる。これにより、リードのフック体５２を環状体５１に掛けられ、こうしてペットオーナーは、ペットがいなくなってしまうことを心配する必要がなくなる。
【符号の説明】
【００１５】
１０  容器
１１  ボルト
２０  吸着ユニット
２１  吸盤
２２  プルバー
２３  円盤
３０  ベース
３１  連結棒
３２  螺合接続部分
３３  収容設置孔
３４  長孔
３５  挿入ピン
４０  めくり動かし部品
４１  圧迫固定部
４４１  軸孔
５０  底台
５１  環状体
５２  フック体
６０  Ｃ型クリップ
６２  クリップアーム
６３  係合ブロック
６４  めくり開け部品
６５  補強構造
７０  水飲み器
７１  陥没部
７２  環状槽
７３  出水管
７４  ボール
【図１】
0003151049.tif 000003
【図２】
0003151049.tif 000004
【図３】
0003151049.tif 000005
【図４】
0003151049.tif 000006
【図５】
0003151049.tif 000007
【図６】
0003151049.tif 000008
【図７】
0003151049.tif 000009